(57)【要約】      （修正有）【課題】色ムラの発生を抑制する発光モジュール及び照明装置を提供する。【解決手段】発光モジュール１５は、基板２１上に二列に並んで設けられた複数の発光素子と、二列に並んだ発光素子のうち、一方の列の発光素子のそれぞれを覆うように設けられ、発光素子４５ａが発した光を第１の色の光に変換する第１の蛍光体を含む第１の封止部材５３ａと、二列に並んだ発光素子のうち、他方の列の発光素子４５ｂのそれぞれを覆うように設けられ、発光素子が発した光を第２の色の光に変換する第２の蛍光体を含む第２の封止部材５３ｂとを具備し、第１の封止部材５３ａと第２の封止部材５３ｂとが接触している。【選択図】図５
2015222797.tif 000002
【特許請求の範囲】
【請求項１】
基板上に二列に並んで設けられた複数の発光素子と；
前記二列に並んだ発光素子のうち、一方の列の発光素子のそれぞれを覆うように設けられ、該発光素子が発した光を第１の色の光に変換する第１の蛍光体を含む第１の封止部材と；
前記二列に並んだ発光素子のうち、他方の列の発光素子のそれぞれを覆うように設けられ、該発光素子が発した光を第２の色の光に変換する第２の蛍光体を含む第２の封止部材と；
を具備し、
前記第１の封止部材と前記第２の封止部材とが接触していることを特徴とする発光モジュール。
【請求項２】
前記第１の封止部材と前記第２の封止部材との接触部分に凹部が形成されていることを特徴とする請求項１に記載の発光モジュール。
【請求項３】
前記第１の封止部材と前記第２の封止部材との接触部分に凹部が形成されていないことを特徴とする請求項１に記載の発光モジュール。
【請求項４】
請求項１〜３のいずれか１項に記載の発光モジュールと；
前記発光モジュールに供給する電力を制御する点灯装置と；
を具備する照明装置。
【発明の詳細な説明】
【技術分野】
【０００１】
本発明の実施形態は、発光モジュール及び照明装置に関する。
【背景技術】
【０００２】
近年、ＬＥＤ（Light  Emitting  Diode）などの発光素子と、発光素子が発する光の色を変換する蛍光体とを有する複数の発光部を光源とする照明装置がある。このような照明装置の一例として、互いに異なる色温度の光を発する複数の発光部を有する照明装置がある。
【０００３】
しかしながら、このような照明装置では、発光部と発光部との間が離れているため、互いに異なる色温度の光が混ざらない場合がある。このため、このような照明装置が発する光が照射される照射面に色ムラが発生する場合がある。
【先行技術文献】
【特許文献】
【０００４】
【特許文献１】特開２０１２−２６２９２４号公報
【発明の概要】
【発明が解決しようとする課題】
【０００５】
本発明が解決しようとする課題は、色ムラの発生を抑制することである。
【課題を解決するための手段】
【０００６】
実施形態の発光モジュールは、基板上に二列に並んで設けられた複数の発光素子と、前記二列に並んだ発光素子のうち、一方の列の発光素子のそれぞれを覆うように設けられ、該発光素子が発した光を第１の色の光に変換する第１の蛍光体を含む第１の封止部材と、前記二列に並んだ発光素子のうち、他方の列の発光素子のそれぞれを覆うように設けられ、該発光素子が発した光を第２の色の光に変換する第２の蛍光体を含む第２の封止部材とを具備し、前記第１の封止部材と前記第２の封止部材とが接触している。
【発明の効果】
【０００７】
実施形態の発光モジュールによれば、色ムラの発生を抑制することができるという効果が期待できる。
【図面の簡単な説明】
【０００８】
【図１】図１は、実施形態に係る照明装置の一例を示す斜視図である。
【図２】図２は、実施形態に係る照明装置の一例を示す断面図である。
【図３】図３は、実施形態に係る照明装置の電気的な接続関係の一例を示す概念図である。
【図４】図４は、実施形態に係る発光ユニットの構成の一例を示す図である。
【図５】図５は、図４のＡ−Ａ´断面図である。
【図６】図６は、実施形態に係る発光モジュールの他の例を説明するための図である。
【図７】図７は、実施形態に係る発光モジュールの他の例を説明するための図である。
【発明を実施するための形態】
【０００９】
以下、図面を参照して、実施形態に係る発光モジュール及び照明装置を説明する。なお、実施形態において同一の機能を有する構成には同一の符号を付し、重複する説明は省略する。また、以下の実施形態で説明する発光モジュールおよび照明装置は、一例を示すに過ぎず、本発明を限定するものではない。
【００１０】
（実施形態）
以下、実施形態の直管形ランプと、直管形ランプを備えた照明装置について、図１〜図４を参照して説明する。
【００１１】
［照明装置１の構成］
図１は、実施形態に係る照明装置の一例を示す斜視図である。また、図２は、図１に示す照明装置の断面図である。図１および図２中、符号１は、直付け形の照明装置を例示している。
【００１２】
照明装置１は、装置本体（器具本体）２と、点灯装置３と、対をなす第一のソケット４ａおよび第二のソケット４ｂと、反射部材５と、光源装置の一例である直管型ランプ１１等を具備する。
【００１３】
図２に示す本体２は、例えば、細長い形状の金属板で作られている。本体２は、図２を描いた紙面の表裏方向に延びている。本体２は、例えば、屋内の天井に図示しない複数のねじを用いて固定される。
【００１４】
点灯装置３は、本体２の長手方向の中間部に固定されている。点灯装置３は、商用交流電源を受けて直流出力を生成し、直流出力を後述の直管型ランプ１１に供給する。
【００１５】
なお、本体２に、図示しない電源端子台、複数の部材指示金具、および、一対のソケット支持部材等がそれぞれ取り付けられている。電源端子台には、天井裏から引き込まれた商用交流電源の電源線が接続される。更に、電源端子台は、図示しない器具内配線を経由して点灯装置３に電気的に接続されている。
【００１６】
ソケット４ａおよび４ｂは、ソケット支持部材に連結されて本体２の長手方向両端部にそれぞれ配設されている。ソケット４ａおよび４ｂは、回転装着式のものである。ソケット４ａおよび４ｂは、後述する直管型ランプ１１が備える、例えば、Ｇ１３タイプの口金１３ａおよび１３ｂにそれぞれ適合するソケットである。
【００１７】
図３は、実施形態に係る照明装置の電気的な接続関係の一例を示す概念図である。図３に示すように、ソケット４ａおよび４ｂは、後述のランプピン１６ａおよび１６ｂがそれぞれ接続される一対の端子金具８または端子金具９を有する。後述の直管型ランプ１１に電源を供給するために、第１のソケット４ａの端子金具８が点灯装置３に器具内配線を介して接続されている。
【００１８】
図２に示すように、反射部材５は、例えば、金属製の底板部５ａと、側板部５ｂと、端板５ｃとを有しており、上面が開放されたトラフ形状をなしている。底板部５ａは、平らである。側板部５ｂは、底板部５ａの幅方向両端から斜め上向きに折り曲げられている。端板５ｃは、底板部５ａと側板部５ｂとの長手方向の端が作る端面開口を閉じている。
【００１９】
底板部５ａと側板部５ｂをなす金属板は、表面が白色系の色を呈するカラー鋼板からなる。このため、底板部５ａおよび側板部５ｂの表面は、反射面となっている。底板部５ａの長手方向両端には、図示しないソケット通孔がそれぞれ開けられている。
【００２０】
反射部材５は、本体２、および、本体２に取り付けられた各部品を覆っている。この状態は取り外し可能な化粧ねじ６（図１参照）により保持されている。化粧ねじ６は、底板部５ａを上向きに貫通して部材支持金具にねじ込まれている。化粧ねじ６は、工具を用いることなく手回し操作することが可能である。ソケット４ａおよび４ｂは、ソケット通孔を通って底板部５ａの下側に突出されている。
【００２１】
図１において、照明装置１は、次に説明する直管型ランプ１１を一本支持するが、他の形態として、例えば、ソケットを二対備え、直管型ランプ１１を二本支持するように構成することも可能である。
【００２２】
ソケット４ａおよび４ｂによって取外し可能に支持される直管型ランプ１１を図２および図３を参照して以下説明する。直管型ランプ１１は、既存の蛍光ランプと同様な寸法と外径を有している。この直管型ランプ１１は、パイプ１２と、このパイプ１２の両端に取付けられた第一口金１３ａ、第二口金１３ｂと、梁１４と、発光モジュール１５ａ，１５ｂとを具備している。
【００２３】
パイプ１２は、透光性の樹脂材料で例えば長尺状に形成されている。パイプ１２をなす樹脂材料には、光の拡散材が混ぜられたポリカーボネート樹脂を好適に使用できる。このパイプ１２の拡散透過率は９０％〜９５％であることが好ましい。図２に示すようにパイプ１２は、その使用状態で上部となる部位の内面に一対の凸部１２ａを有している。
【００２４】
第一口金１３ａは、パイプ１２の長手方向の一端部に取付けられ、第二口金１３ｂは、パイプ１２の長手方向の他端部に取付けられている。これら第一口金１３ａおよび第二口金１３ｂは、ソケット４ａおよび４ｂにそれぞれ取外し可能に接続される。この接続によって、ソケット４ａおよび４ｂに支持された直管型ランプ１１は、反射部材５の底板部５ａの直下に配置される。直管型ランプ１１から外部に出射される光の一部は、反射部材５の側板部５ｂで反射される。
【００２５】
図３に示すように、第一口金１３ａは、その外部に突出する二本のランプピン１６ａを有している。これらのランプピン１６ａは、互いに電気的に絶縁されている。これとともに、二本のランプピン１６ａの先端部は、互いに離れるようにＬ字形状、例えばほぼ直角に曲がっている。
【００２６】
図３に示すように、第二口金１３ｂは、その外部に突出する一方のランプピン１６ｂを有している。このランプピン１６ｂは、円柱状の軸部と、円柱状の軸部の先端部に設けられ、正面形状（図示しない）が楕円形状、または、長円形状である先端部を有しており、側面がＴ字形状をなしている。
【００２７】
第一口金１３ａのランプピン１６ａが、ソケット４ａの端子金具８に接続されるとともに、第二口金１３ｂのランプピン１６ｂが、ソケット４ｂの端子金具９に接続されることによって、直管型ランプ１１がソケット４ａおよび４ｂに機械的に支持される。この支持状態で、ソケット４ａ内の端子金具８と、これに接した第一口金１３ａのランプピン１６ａとにより、直管型ランプ１１への給電が行われる。
【００２８】
図２に示すように、梁１４は、パイプ１２に収容されている。梁１４は、機械的強度に優れたバー材であり、例えば、軽量化のためにアルミニウム合金等で形成されている。梁１４の長手方向の両端は、第一口金１３ａおよび第二口金１３ｂに電気的に絶縁されて連結されている。梁１４は、例えば、リブ状をなした基板支持部１４ａを複数（図２には１つ図示する）有している。
【００２９】
図４は、実施形態に係る発光ユニットの構成の一例を示す図である。図４に示すように、発光モジュール１５は、細長い略長方形状に形成された基板２１上に、複数の発光部５４ａと複数の発光部５４ｂとが、当該基板２１の長手方向に並べて二列に配置されている。基板２１上には、コネクタ５９ａ，５９ｂ，６０ａ，６０ｂが配置されている。基板２１の表面は、電気絶縁性の高い合成樹脂を主成分としたレジスト層が設けられている。このレジスト層は、例えば白色であり、光の反射率が高い反射層としても機能する。
【００３０】
複数の発光部５４ａは直列に接続されており、直列に接続された複数の発光部５４ａの一端は、コネクタ５９ａに接続されており、直列に接続された複数の発光部５４ａの他端は、コネクタ５９ｂに接続されている。コネクタ５９ａ，５９ｂを介して、点灯装置４からの電力が複数の発光部５４ａに供給されると、複数の発光部５４ａが点灯する。また、複数の発光部５４ｂは直列に接続されており、直列に接続された複数の発光部５４ｂの一端は、コネクタ６０ａに接続されており、直列に接続された複数の発光部５４ｂの他端は、コネクタ６０ｂに接続されている。コネクタ６０ａ，６０ｂを介して、点灯装置４からの電力が複数の発光部５４ｂに供給されると、複数の発光部５４ｂが点灯する。
【００３１】
基板２１の長さは、梁１４の全長と略等しい。基板２１は、梁１４にねじ込まれた図示しないねじで固定される。本実施形態において、発光モジュール１５は、１枚の基板２１を有するが、他の形態として、発光モジュール１５は、複数の基板で構成されてもよい。
【００３２】
発光モジュール１５は、梁１４とともに、パイプ１２に収容される。この支持状態で、発光モジュール１５の幅方向の両端部は、パイプ１２の凸部１２ａに載置される。それによって、発光モジュール１５は、パイプ１２内の最大幅部より上側で略水平に配設されている。
【００３３】
図５は、図４のＡ−Ａ´断面図である。図５の例に示すように、発光部５４ａは、基板２１上に設けられたＬＥＤ４５ａと、封止部材５３ａとを有する。封止部材５３ａには、黄色蛍光体と、赤色蛍光体とが含まれる。発光部５４ａは、基板２１上に設けられている。封止部材５３ａは、蛍光体が添加された、例えば、エポキシ樹脂、ユリア樹脂、シリコン樹脂などの拡散性の高い熱可塑性を有する透明樹脂である。
【００３４】
また、発光部５４ｂは、基板２１上に設けられたＬＥＤ４５ｂと、封止部材５３ｂとを有する。封止部材５３ｂには、黄色蛍光体と、緑色蛍光体と、赤色蛍光体とが含まれる。発光部５４ｂは、基板２１上に設けられている。封止部材５３ｂは、蛍光体が添加された、例えば、エポキシ樹脂、ユリア樹脂、シリコン樹脂などの拡散性の高い熱可塑性を有する透明樹脂である。
【００３５】
封止部材５３ａと封止部材５３ｂとでは、蛍光体の混合率が異なる。そのため、発光部５４ａが発する光の色の色温度と、発光部５４ｂが発する光の色の色温度とは、異なる。
【００３６】
本実施形態において、封止部材５３ａと封止部材５３ｂとが接触している。これにより、互いに異なる色温度の光が混ざるようになる。この結果、本実施形態に係る発光モジュール１５によれば、色ムラの発生を抑制することができる。また、封止部材５３ａと封止部材５３ｂとの接触部分７０に凹部が形成されているため、発光モジュール１５が発することが可能な光の色の色温度の幅が大きくなる。
【００３７】
以上、実施形態について説明した。
【００３８】
上記説明から明らかなように、本実施形態の発光モジュール１５によれば、色ムラの発生を抑制することが期待できる。
【００３９】
なお、上述した実施形態では、封止部材５３ａと封止部材５３ｂとの接触部分７０に凹部が形成される場合について説明したが、封止部材５３ａと封止部材５３ｂとの接触部分７０の形状はこれに限られない。例えば、図６に示すように、封止部材５３ａと封止部材５３ｂとの接触部分７０に凹部が形成されないようにすることもできる。この場合には、図５に示す発光モジュール１５と比較して、さらに、互いに異なる色温度の光が混ざるようになる。この結果、さらに、色ムラの発生を抑制することができる。
【００４０】
また、図７に示すように、基板２１上に、封止部材５３ａ及び封止部材５３ｂの流れ止めのための枠材９０を設けてもよい。
【００４１】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００４２】
１５            発光モジュール
４５ａ，４５ｂ  ＬＥＤ
５３ａ，５３ｂ  封止部材
５４ａ，５４ｂ  発光部
【図１】
2015222797.tif 000003
【図２】
2015222797.tif 000004
【図３】
2015222797.tif 000005
【図４】
2015222797.tif 000006
【図５】
2015222797.tif 000007
【図６】
2015222797.tif 000008
【図７】
2015222797.tif 000009